(57)【要約】【課題】  ロータリエンコーダの回転方向を検出処理する検出処理回路において使用する入力端子の数を少なくする【解決手段】  ロータリエンコーダ１０から位相の異なる複数の２値信号が入力され、この入力された複数の２値信号を３段階以上の電圧レベルを有する１つの信号に変換するレベル変換回路（抵抗４０、４１によって構成された回路）と、このレベル変換回路によって変換された信号を入力する入力端子Ｐ０３を有し、この入力端子Ｐ０３から入力される信号の電圧レベルの変化に基づいてロータリエンコーダ１０の回転方向を検出処理する検出処理回路（ＭＰＵ２０）を備える。【選択図】        図１
2006250691.tif 000002
【特許請求の範囲】
【請求項１】
ロータリエンコーダから位相の異なる複数の２値信号が入力され、この入力された複数の２値信号を３段階以上の電圧レベルを有する１つの信号に変換するレベル変換回路と、
前記レベル変換回路によって変換された信号を入力する入力端子を有し、当該入力端子から入力される前記信号の電圧レベルの変化に基づいて前記ロータリエンコーダの回転方向を検出処理する検出処理回路と、を備えたことを特徴とするロータリエンコーダの回転方向検出装置。
【請求項２】
前記複数の２値信号は、２つの２値信号であって、前記レベル変換回路は、前記ロータリエンコーダから入力される前記２つの２値信号を入力する第１、第２の入力端子と、前記第１の入力端子と電源端子との間に直列に設けられた第１、第２の抵抗と、を備え、前記第１、第２の抵抗の接続点と第２の入力端子は前記制御回路の入力端子と接続されていることを特徴とする請求項１に記載のロータリエンコーダの回転方向検出装置。
【発明の詳細な説明】
【技術分野】
【０００１】
本発明は、ロータリエンコーダの回転方向を検出するロータリエンコーダの回転方向検出装置に関する。
【背景技術】
【０００２】
従来、ロータリエンコーダを用いた装置として、ダイヤルノブの押圧信号を検出するタクトスイッチとダイヤルノブの回転操作を検出するロータリエンコーダと、ダイヤルノブの内側に配置した表示器と、を備え、ダイヤルノブの押圧操作をタクトスイッチにより検出して複数の操作信号の検出対象を切り替え、表示器により設定対象となった操作信号を表示し、ダイヤルノブの回転量をロータリエンコーダにより検出して設定対象となった操作信号の出力状態を切り替え、その操作信号の出力状態を表示器に表示するものがある（例えば、特許文献１参照）。
【０００３】
また、車両には乗員の操作によってメータの表示輝度の調整が可能となったものがあり、このような調整を行うための操作装置として上述したようなロータリエンコーダを用いたものがある。
【特許文献１】特開２００３−５４２９０号公報
【発明の開示】
【発明が解決しようとする課題】
【０００４】
図３に、上記したメータの表示輝度を調整するための操作装置の概略構成を示す。ロータリエンコーダ１０は、スイッチＡ、Ｂを有し、これらのスイッチＡ、Ｂは、操作ノブ１０ａの軸回りの回転に応じてそれぞれオープン、クローズの動作を繰り返す。
【０００５】
このロータリエンコーダ１０のスイッチＡは、第１の入力端子ａを介して制御回路をなすＭＰＵ２０の入力端子Ｐ０１に接続されており、スイッチＢは、第２の入力端子ｂを介してＭＰＵ２０の入力端子Ｐ０２に接続されている。また、第１の入力端子ａは、抵抗３０を介して電源端子ｃと接続されており、第２の入力端子ｂは抵抗３１を介して電源端子ｃと接続されている。
【０００６】
このような構成において、ＭＰＵ２０の入力端子Ｐ０１には、スイッチＡの状態の状態に応じたハイレベルまたはローレベルの信号が入力され、ＭＰＵ２０の入力端子Ｐ０２には、スイッチＢの状態に応じたハイレベルまたはローレベルの信号が入力される。
【０００７】
乗員がロータリエンコーダ１０の操作ノブ１０ａを時計回り（ＣＷ方向）または反時計回り（ＣＣＷ方向）に回転させると、スイッチＡ、Ｂは、図４に示すように、それぞれ位相差をもってオープン、クローズを繰り返す。すなわち、操作ノブ１０ａを時計回り（ＣＷ方向）に回転させると、スイッチＢは、スイッチＡよりも遅れてオープン、クローズを繰り返し、操作ノブ１０ａを反時計回り（ＣＣＷ方向）に回転させると、スイッチＡは、スイッチＢよりも遅れてオープン、クローズを繰り返す。
【０００８】
ＭＰＵ２０は、入力端子Ｐ０１および入力端子Ｐ０２から入力される各信号のレベル変化に基づいて、操作ノブ１０ａが時計回り（ＣＷ方向）に操作されたか反時計回り（ＣＣＷ方向）に操作されたかを判定し、メータの表示輝度を調整する。
【０００９】
例えば、入力端子Ｐ０１と入力端子Ｐ０２の電位が共にハイレベルの状態から、入力端子Ｐ０２の電位はハイレベルのままで、入力端子Ｐ０１の電位がローレベルに変化すると、操作ノブ１０ａが時計回り（ＣＷ方向）に操作されたと判定し、メータの表示輝度が高くなるようにＬＥＤ（図示せず）に流れる電流を増加させる。反対に、入力端子Ｐ０１と入力端子Ｐ０２の電位が共にローレベルの状態から、入力端子Ｐ０１の電位はローレベルのままで、入力端子Ｐ０２の電位がハイレベルに変化すると、操作ノブ１０ａが反時計回り（ＣＣＷ方向）に操作されたと判定し、メータの表示輝度が低くなるようにＬＥＤに流れる電流を減少させる。
【００１０】
つまり、上記したＭＰＵ２０は、ロータリエンコーダ１０の回転方向を検出処理する検出処理回路を構成しており、このＭＰＵ２０によって操作ノブ１０ａの回転方向を判定し、メータの表示輝度を調整する。
【００１１】
しかしながら、上記したような構成では、ロータリエンコーダ１０の回転方向を検出処理する検出処理回路において２つの入力端子を使用する必要がある。
【００１２】
本発明は上記点に鑑みたもので、ロータリエンコーダの回転方向を検出処理する検出処理回路において使用する入力端子の数を少なくすることを目的とする。
【課題を解決するための手段】
【００１３】
上記目的を達成するため、請求項１および２に記載の発明では、ロータリエンコーダから位相の異なる複数の２値信号が入力され、この入力された複数の２値信号を３段階以上の電圧レベルを有する１つの信号に変換するレベル変換回路と、前記レベル変換回路によって変換された信号を入力する入力端子を有し、当該入力端子から入力される前記信号の電圧レベルの変化に基づいて前記ロータリエンコーダの回転方向を検出処理する検出処理回路と、を備えたことを特徴としている。
【００１４】
このように、レベル変換回路によって、ロータリエンコーダから入力される位相の異なる複数の２値信号が３段階以上の電圧レベルを有する１つの信号に変換されるので、ロータリエンコーダの回転方向を検出処理する検出処理回路において使用する入力端子の数を少なくすることができる。
【発明を実施するための最良の形態】
【００１５】
本発明の一実施形態に係る操作装置の概略構成を図１に示す。なお、上記した従来技術と同一部分には、同一符号を付して説明を省略し、以下異なる部分を中心に説明する。図３に示した操作装置は、ロータリエンコーダ１０から入力された２つの２値信号をＭＰＵ２０の入力端子Ｐ０１および入力端子Ｐ０２にそれぞれ入力するように構成されているが、図１に示す操作装置の構成は、抵抗４０、４１によってロータリエンコーダ１０から入力された２つの２値信号を３段階の電圧レベルを有する１つの信号に変換してＭＰＵ２０の入力端子Ｐ０３に入力する構成となっている。また、ＭＰＵ２０は、入力端子Ｐ０３から入力される信号の電圧レベルの変化に基づいて操作ノブの回転方向を検出するとともに検出した操作ノブの回転方向に基づいてメータ照明用のＬＥＤの表示輝度を調整するための信号を出力する。
【００１６】
なお、本実施形態におけるＭＰＵ２０は、ロータリエンコーダ１０の操作ノブ１０ａの回転方向を検出するロータリエンコーダの回転方向検出装置としての機能と、このロータリエンコーダの回転方向検出装置が検出したロータリエンコーダ１０の操作ノブ１０ａの回転方向に基づいてメータ照明用のＬＥＤに流れる電流を変化させメータの表示輝度を調整する制御回路としての機能を備えている。
【００１７】
ロータリエンコーダ１０は車両内における乗員による操作の可能な位置に設置され、抵抗４０、４１、第１、第２の入力端子ａ、ｂ、電源端子ｃおよびＭＰＵ２０はメータの裏側等に設けられる回路基板（図示せず）に搭載される。この回路基板の第１、第２の入力端子ａ、ｂとロータリエンコーダ１０との間はケーブルを用いて接続される。
【００１８】
ロータリエンコーダ１０は、上述したように、スイッチＡ、Ｂを有し、これらのスイッチＡ、Ｂは、操作ノブ１０ａの軸回りの回転に応じてそれぞれオープン、クローズの動作を繰り返す。
【００１９】
第１の入力端子ａと定電圧電源（図示せず）から電源電圧が供給される電源端子ｃとの間には、第１、第２の抵抗４０、４１が直列接続されている。また、第１、第２の抵抗４０、４１の接続点および第２の入力端子ｂは、それぞれＭＰＵ２０の入力端子Ｐ０３と接続されている。なお、スイッチＡがクローズ状態、スイッチＢがオープン状態となった場合に、ＭＰＵ２０の入力端子Ｐ０３の電位が中間レベルとなるように、抵抗４０と抵抗４１の各抵抗値は同一となっている。
【００２０】
このような構成において、乗員がロータリエンコーダ１０の操作ノブ１０ａを時計回り（ＣＷ方向）または反時計回り（ＣＣＷ方向）に回転させると、スイッチＡ、Ｂは、図２に示すように、それぞれ位相差をもってオープン、クローズを繰り返す。すなわち、操作ノブ１０ａを時計回り（ＣＷ方向）に回転させると、スイッチＢは、スイッチＡよりも遅れてオープン、クローズを繰り返し、操作ノブ１０ａを反時計回り（ＣＣＷ方向）に回転させると、スイッチＡは、スイッチＢよりも遅れてオープン、クローズを繰り返す。
【００２１】
このとき、ＭＰＵ２０の入力端子Ｐ０３には、図２に示すようなハイレベル、中間レベル、ローレベルの３段階の信号が入力される。すなわち、スイッチＡ、Ｂが共にオープン状態の場合、ハイレベルの信号がＭＰＵ２０の入力端子Ｐ０３に入力される。また、スイッチＢはオープン状態のままで、スイッチＡがクローズ状態になると、第１の入力端子ａの電位はローレベルとなり、電源端子ｃの電圧を第１、第２の抵抗４０、４１によって分圧した中間レベルの信号がＭＰＵ２０の入力端子Ｐ０３に入力される。また、スイッチＢがクローズ状態になると、スイッチＡの状態と関係なく第２の入力端子ｂの電位はローレベルとなり、ローレベルの信号がＭＰＵ２０の入力端子Ｐ０３に入力される。
【００２２】
すなわち、操作ノブ１０ａが時計回り（ＣＷ方向）に操作された場合、ハイレベル、中間レベル、ローレベル、ハイレベル、…の順番でＭＰＵ２０の入力端子Ｐ０３に信号が入力される。反対に、操作ノブ１０ａが反時計回り（ＣＣＷ方向）に操作された場合、ハイレベル、ローレベル、中間レベル、ハイレベル、…の順番でＭＰＵ２０の入力端子Ｐ０３に信号が入力される。
【００２３】
ＭＰＵ２０は、入力端子Ｐ０３から入力されるアナログ信号をデジタル信号に変換するＡ／Ｄ変換回路を有し、このＡ／Ｄ変換回路によって入力端子Ｐ０３から入力される信号をＡ／Ｄ変換し、このＡ／Ｄ変換した信号のレベル変化に基づいて、操作ノブ１０ａが時計回り（ＣＷ方向）に操作されたか反時計回り（ＣＣＷ方向）に操作されたかを判定し、メータの表示輝度を調整するためのＬＥＤ（図示せず）に流れる電流を制御する。
【００２４】
例えば、入力端子Ｐ０３から入力された信号が、ローレベルからハイレベル、ハイレベルから中間レベル、中間レベルからローレベルに変化した場合には操作ノブ１０ａが時計回り（ＣＷ方向）に操作されたと判定し、メータの表示輝度が高くなるようにＬＥＤ（図示せず）に流れる電流を増加させる。また、入力端子Ｐ０３から入力された信号が、ローレベルから中間レベル、中間レベルからハイレベル、ハイレベルからローレベルに変化した場合には操作ノブ１０ａが反時計回り（ＣＣＷ方向）に操作されたと判定し、メータの表示輝度が低くなるようにＬＥＤに流れる電流を減少させる。
【００２５】
上述したように、上記した構成によれば、ロータリエンコーダ１０から位相の異なる２つの２値信号が入力され、この入力された２つの２値信号を３段階以上の電圧レベルを有する１つの信号に変換するレベル変換回路（抵抗４０、４１によって構成された回路）と、このレベル変換回路によって変換された信号を入力する入力端子Ｐ０３を有し、この入力端子Ｐ０３から入力される信号の電圧レベルの変化に基づいてロータリエンコーダ１０の回転方向を検出処理する検出処理回路（ＭＰＵ２０）と、を備えている。
【００２６】
このように、レベル変換回路によって、ロータリエンコーダ１０から入力される位相の異なる２つの２値信号が３段階の電圧レベルを有する１つの信号に変換されるので、ロータリエンコーダ１０の回転方向を検出処理する検出処理回路において使用する入力端子の数を少なくすることができる。
【００２７】
なお、本発明は上記実施形態に限定されるものではなく、本発明の趣旨に基づいて種々なる形態で実施することができる。
【００２８】
例えば、本発明に係るロータリエンコーダ１０の検出装置は、車両のメータの表示輝度の調整を行うための操作装置に用いられるものに限らず、ロータリエンコーダ１０の検出方向を検出する装置であれば、上記した操作装置以外の他の装置に適用されていてもよい。
【００２９】
また、上記実施形態では、図１に示したように、抵抗４０、４１を用いてロータリエンコーダ１０から出力される２つの２値信号を３段階の電圧レベルを有する１つの信号に変換する例を示したが、図１に示した構成は一例であり、例えば、図５に示すように、ロータリエンコーダ１１から操作ノブの回転に応じて位相の異なる３つの２値信号を出力するように構成し、これらの２値信号を４段階の電圧レベルを有する１つの信号に変換するように構成してもよい。この場合、図５に示すように複数の抵抗５０〜５２によりレベル変換回路を構成し、このレベル変換回路によってロータリエンコーダ１１から入力される３つの２値信号に応じて４段階の電圧レベルを有する１つの信号に変換してＭＰＵ２０の入力端子に入力するように構成すればよい。また、ＭＰＵ２０は、４段階の電圧レベルの変化に基づいて操作ノブの回転方向を検出するとともに検出した操作ノブの回転方向に基づく信号を出力すればよい。
【００３０】
また、上記実施形態では、図１に示したように、抵抗４０、４１の抵抗値を同一とした構成の例を示したが、必ずしも同一である必要はなく、異なっていてもよい。
【図面の簡単な説明】
【００３１】
【図１】本発明の一実施形態に係る操作装置の概略構成を示す図である。
【図２】本発明の一実施形態に係る操作装置のロータリエンコーダの状態とＭＰＵの入力信号の波形を示すタイミングチャートである。
【図３】従来技術としての操作装置の概略構成を示す図である。
【図４】従来技術としての操作装置のロータリエンコーダの状態とＭＰＵの入力信号の波形を示すタイミングチャートである。
【図５】他の実施形態に係る操作装置の概略構成を示す図である。
【符号の説明】
【００３２】
１０、１１…ロータリエンコーダ、１０ａ…操作ノブ、２０…ＭＰＵ、
４０、４１、５０〜５２…抵抗。 
【図１】
2006250691.tif 000003
【図２】
2006250691.tif 000004
【図３】
2006250691.tif 000005
【図４】
2006250691.tif 000006
【図５】
2006250691.tif 000007